(57)【要約】【課題】暗い場所に設置されたこの種のエスカレータでも車椅子に乗った乗客に不安を与えることのない、エスカレータを提供すること。【解決手段】回転移動する複数の踏段を有し、車椅子モードのとき、そのうちの複数個の前記踏段１１ａ，１１ｂ，１１ｃが水平に並置され、車椅子を乗せることが可能な車椅子踏段付きエスカレータであって、車椅子モード時に前記水平に並置される踏段上面に注意灯１２ａ，１２ｂ，１２ｃ（冷陰極蛍光ランプ）を備える。【選択図】  図１
2004149304.tif 000002
【特許請求の範囲】
【請求項１】
回転移動する複数の踏段を有し、少なくとも車椅子モードのとき、そのうちの複数個の前記踏段が水平に並置され、車椅子を乗せることが可能な車椅子踏段付きエスカレータであって、
車椅子モード時に前記水平に並置される踏段上面に冷陰極蛍光ランプを備えることを特徴とする車椅子用踏段付きエスカレータ。
【請求項２】
回転移動する複数の踏段を有し、少なくとも車椅子モードのとき、そのうちの複数個の前記踏段が水平に並置され、車椅子を乗せることが可能な車椅子踏段付きエスカレータであって、
前記踏段のすべての外縁部に冷陰極蛍光ランプを備え、前記踏段の移動方向に応じて前記冷陰極蛍光ランプが点滅移動することを特徴とする車椅子用踏段付きエスカレータ。
【請求項３】
回転移動する複数の踏段を有し、少なくとも車椅子モードのとき、そのうちの複数個の前記踏段が水平に並置され、車椅子を乗せることが可能な車椅子踏段付きエスカレータであって、
前記踏段の外縁部に冷陰極蛍光ランプを備え、前記踏段がエスカレータの乗降口のコム部を通過するときに、前記冷陰極蛍光ランプが点灯することを特徴とする車椅子用踏段付きエスカレータ。
【請求項４】
回転移動する複数の踏段を有し、少なくとも車椅子モードのとき、そのうちの複数個の前記踏段が水平に並置され、車椅子を乗せることが可能な車椅子踏段付きエスカレータであって、
前記踏段の外縁部及び移動方向の前面に冷陰極蛍光ランプを有することを特徴とする車椅子用踏段付きエスカレータ。
【発明の詳細な説明】
【０００１】
【発明の属する技術分野】
本発明は、車椅子用踏段付きエスカレータに関する。
【０００２】
【従来の技術】
通常、一般の態様で用いられているエスカレータに車椅子に乗った乗客を乗せる必要がでてきたときには、その踏段を進行方向に例えば３つ水平に並置してスペースを取り、この上に車椅子を乗せるようにしたエスカレータが、従来から知られている。
【０００３】
この種のエスカレータでは、乗客の注意を喚起するため車椅子を乗せる踏段上面に黄色の塗装などを行っている。
【０００４】
上記のようなエスカレータを通常の態様で使用している場合にはそれほど問題はないが、車椅子を乗客と共に乗せる場合には、暗いと車椅子乗客に不安を与えることもあり、踏段上面に警告色を塗っていても、乗客の不安を除去するには十分ではなかった。
【０００５】
なお、照明装置の光源として冷陰極管を用いるエスカレータも知られている（特許文献１参照）が、一般のエスカレータでしかも踏段の一部のみを照らす局部的な照明であって、車椅子用踏段付きエスカレータでなく、また乗客の注意を喚起するものではなかった。
【０００６】
【特許文献１】
・特開平１１−１９３１９３（段落［０００８］、図３）
【０００７】
【発明が解決しようとする課題】
本発明は、上述のような車椅子用踏段付きエスカレータの問題点に鑑みてなされたもので、暗い場所に設置されたこの種のエスカレータでも車椅子に乗った乗客に不安を与えることのない、エスカレータを提供することを目的とする。
【０００８】
【課題を解決するための手段】
上記目的を達成するために、本発明の請求項１によれば、回転移動する複数の踏段を有し、少なくとも車椅子モードのとき、そのうちの複数個の前記踏段が水平に並置され、車椅子を乗せることが可能な車椅子踏段付きエスカレータであって、車椅子モード時に前記水平に並置される踏段上面に冷陰極蛍光ランプを備えることを特徴とする車椅子用踏段付きエスカレータを提供する。
【０００９】
本発明の請求項２によれば、回転移動する複数の踏段を有し、少なくとも車椅子モードのとき、そのうちの複数個の前記踏段が水平に並置され、車椅子を乗せることが可能な車椅子踏段付きエスカレータであって、前記踏段のすべての外縁部に冷陰極蛍光ランプを備え、前記踏段の移動方向に応じて前記冷陰極蛍光ランプが点滅移動することを特徴とする車椅子用踏段付きエスカレータを提供する。
【００１０】
本発明の請求項３によれば、回転移動する複数の踏段を有し、少なくとも車椅子モードのとき、そのうちの複数個の前記踏段が水平に並置され、車椅子を乗せることが可能な車椅子踏段付きエスカレータであって、前記踏段の外縁部に冷陰極蛍光ランプを備え、前記踏段がエスカレータの乗降口のコム部を通過するときに、前記冷陰極蛍光ランプが点灯することを特徴とする車椅子用踏段付きエスカレータを提供する。
【００１１】
本発明の請求項４によれば、回転移動する複数の踏段を有し、少なくとも車椅子モードのとき、そのうちの複数個の前記踏段が水平に並置され、車椅子を乗せることが可能な車椅子踏段付きエスカレータであって、前記踏段の外縁部及び移動方向の前面に冷陰極蛍光ランプを有することを特徴とする車椅子用踏段付きエスカレータを提供する。
【００１２】
【発明の実施の形態】
以下、本発明の実施形態について図面を用いて説明する。図１（ａ）（ｂ）に、本発明の一実施形態の車椅子用踏段付きエスカレータにおいて車椅子の乗客を乗せるために３個の踏段が水平に並置された状態の平面図及び一部断面図を示す。
【００１３】
図１（ａ）において、１１ａ，１１ｂ，１１ｃは３個の踏段であり、その外縁に近い位置に、踏段１１ａにはコの字状に、また踏段１１ｂ、１１ｃにはニの字状に、溝１２が設けられその中に各々注意灯１２ａ，１２ｂ，１２ｃが設けられている。また踏段１１ｃの先端に近く車椅子の車輪がくる位置には、車椅子が外に出ないように突起形状をした車止め１３ａ，１３ｂが設置され、これらの車止め１３ａ，１３ｂ内にも注意灯１４ａ，１４ｂが設置されている。
【００１４】
この実施形態に用いる注意灯１２ａ，１２ｂ，１２ｃ，１４ａ，１４ｂとしては、例えば冷陰極蛍光ランプを用いることができる。この冷陰極蛍光ランプの構造の例を図２（ａ）（ｂ）に示す。図２（ａ）では、ガラス外管２１ａ内のガラス内管２１ｂの両端に一対の電極２２ａ，２２ｂを設け、その中に例えば水銀ガス２３を封入する。ガラス内管２１ｂの内面には蛍光体２４を塗布しており、電極２２ａ，２２ｂに電圧を印加することによって放電を生じさせて発光させる。
【００１５】
注意灯用の冷陰極蛍光ランプとしては、図２（ｂ）に示すような外部電極型の蛍光ランプを用いることもできる。即ち、ガラス外管２５ａ内側に設けられたガラス内管２５ｂ内に例えばキセノンガス２６を封入し、ガラス外管２５ａの外側に設けた一対の電極２７ａ，２７ｂ間に電圧を印加して放電を起こさせ、発光させる。
【００１６】
次にこの実施形態の動作を説明する。エスカレータに車椅子に乗った乗客を例えば上階から乗せるとする。このとき、エスカレータの上階に設けられている車椅子モード用スイッチ（図示せず）を押す。すると、図１（ａ）（ｂ）に示すように３つの踏段１１ａ，１１ｂ，１１ｃが水平に並置された状態になり、各踏段の溝１２内に設けられている、注意灯１２ａ，１２ｂ，１２ｃに接続された電気回路（図示せず）がオンとなって、これらの注意灯が点灯する。これと同時に車止め１３ａ，１３ｂに設けられている注意灯１４ａ，１４ｂも点灯する。これら注意灯の点灯により、車椅子の乗客及びその介添え人の足元をあ明るくすると共に、他の乗客に注意を促すことができる。介添え人は車椅子を押して上記踏段１１ａ，１１ｂ，１１ｃに乗った後、エスカレータの起動ボタン（図示せず）を押してエスカレータを起動させる。
【００１７】
このようにして乗客の乗った車椅子及び介添え人は上階から下階に移動し、着いたらエスカレータの停止ボタン（図示せず）を押し停止させて、介添え人は乗客の乗った車椅子をエスカレータから下ろす。この後エスカレータを車椅子モードから通常モードに変えると、注意灯１２ａ，１２ｂ，１２ｃ，１４ａ，１４ｂが消灯すると共に、踏段１１ａ，１１ｂ，１１ｃは元の状態に戻す。下階から上階に移動する場合も同様である。
【００１８】
なお上記実施形態では、注意灯１２ａ，１２ｂ，１２ｃ，１４ａ，１４ｂはすべて点灯するものとしたが、注意灯１２ａ，１２ｂ，１２ｃのみを点灯させ、注意灯１４ａ，１４ｂを点滅させるとか、注意灯１４ａ，１４ｂのみを点灯させ、注意灯１２ａ，１２ｂ，１２ｃを点滅させるように一部を点滅させることもできる。また、これら全部の注意灯を点滅させることもできる。このように注意灯を点滅させると、点灯するだけよりも一層、乗客の注意を喚起することができる利点がある。
【００１９】
なお、各踏段に設けた注意灯は同時に点滅させるだけでなく、オンオフの時点を順次変えて点滅させるようにすることもできる。また、上記実施形態のおける注意灯１４ａ，１４ｂはなくともよい。
【００２０】
このような本発明の他の実施形態について次に説明する。図３（ａ）（ｂ）は車椅子用踏段付きエスカレータの車椅子が乗せられる踏段以外の部分の踏段の平面図及び断面図である。
【００２１】
３１ａ，３１ｂ，３１ｃ，３１ｄ，３１ｅ，３１ｆは、エスカレータの踏段であり、これらの踏段は右側の上階（ＵＦ）から左側の下階（ＤＦ）に移動している途中で、車椅子を乗せるために待機しているものとする。
【００２２】
踏段３１ａ，３１ｂ，３１ｃ，３１ｄ，３１ｅ，３１ｆ各々に注意灯３２ａ，３２ｂ，３２ｃ，３２ｄ，３２ｅ，３２ｆが設けられている。注意灯３２ａ，３２ｂ，３２ｃ，３２ｄ，３２ｅ，３２ｆとしては、図２（ａ）（ｂ）に示した冷陰極蛍光ランプを用いる。
【００２３】
これらの注意灯を、図示していないオンオフ制御回路によりこの順序で点灯し消灯する。すると、光が矢印３５に示す方向、即ち上階から下階に向かって移動していくように見え、乗客及び及びこのエスカレータに乗っていない人々もエスカレータの待機後の移動方向を一目で判断することができる。
【００２４】
次に本発明におけるエスカレータの注意灯の点灯機構に関する更に他の実施形態について図４を用いて説明する。
【００２５】
図４（ａ）（ｂ）（ｃ）において、４１は踏段、４２は注意灯であり、４３はエスカレータの乗降板、４４は乗降口のコム部である。踏段側の電極４５がエスカレータ内に設けた電極４６に接触している間、図示しない点灯回路が閉じて、踏段４１の注意灯４２が点灯する。即ち、乗客が踏段４１に乗り込み、乗降板４３のコム部４４を通過する所定区間だけ、電極４５と電極４６が接触して、注意灯４２が点灯することになる。
【００２６】
次に本発明の更に他の実施形態について図５を用いて説明する。図５では、踏段５１の上面に注意灯５２を有する他、踏段５１の前面５３にも注意灯５４を設けている。したがって、エスカレータの踏段の隙間から上方の光が漏れ、隙間があいていることを乗客に知らせ、注意を促すことができる。また、エスカレータが上階から下階の方向に動いているときには、注意灯５４はその下方の踏段を明るく照らすことができ、乗客の不安をより一層取り除くことができる。
【００２７】
なお、上記実施形態の説明では、注意灯として冷陰極蛍光ランプを用いる場合について説明した。冷陰極蛍光ランプを注意灯として用いれば、小型で強い光を放射することができ、乗客に注意を喚起する効果は大きい利点がある。しかし本発明は、注意灯としては、冷陰極蛍光ランプ以外にも、複数のＬＥＤを並べて設けるなど、他の光源を用いてもよい。
【００２８】
【発明の効果】
以上述べたように本発明によれば、暗い場所に設置されたこの種のエスカレータでも車椅子に乗った乗客に不安を与えることのないエスカレータを得ることができる効果がある。
【図面の簡単な説明】
【図１】本発明の一実施形態によるエスカレータの構造を示す図。
【図２】本発明一実施形態における注意灯として用いる冷陰極蛍光ランプの構造を示す図。
【図３】本発明の他の実施形態の構成を説明するための図。
【図４】本発明の更に他の実施形態の構成を説明するための図。
【図５】本発明の更に他の実施形態の構成を説明するための図。
【符号の説明】
１１ａ，１１ｂ，１１ｃ，３１ａ，３１ｂ，３１ｃ，３１ｄ，３１ｆ，４１，５１・・・踏段、
１２ａ，１２ｂ，１２ｃ，１４ａ，１４ｂ，４２，５２，５４・・・・注意灯、１３ａ，１３ｂ・・・車止め、
４５，４６・・・電極。
【図１】
2004149304.tif 000003
【図２】
2004149304.tif 000004
【図３】
2004149304.tif 000005
【図４】
2004149304.tif 000006
【図５】
2004149304.tif 000007